(57)【要約】【課題】  複数枚の記録材が重ねられた状態でも、木端側から見て確実に所要の画像（たとえば広告画像、原稿画像の内容識別のための画像）が認識でき、広告効果などを確実にあげることができ、また本来の原稿の価値を落とすこと無く十分に広告効果などをあげることのできる、広告などの所要の画像を形成することができる画像形成装置を提供する。【解決手段】  像担持体と、前記像担持体上に画像を形成するよう制御する制御部とを備えた画像形成装置であって、前記制御部は、複数枚の記録材が重ねられた状態での木端近傍（Ｍ３）に所要の画像を形成する場合に、各記録材の画像領域フレームのフレームエンドから各記録材の端部を越えた位置までの領域（Ｍ２）に対応する、前記像担持体上の領域に画像を形成するように制御することを特徴とする画像形成装置。【選択図】        図５
2006192769.tif 000002
【特許請求の範囲】
【請求項１】
像担持体と、前記像担持体上に画像を形成するよう制御する制御部とを備えた画像形成装置であって、
前記制御部は、複数枚の記録材が重ねられた状態での木端近傍に所要の画像を形成する場合に、各記録材の画像領域フレームのフレームエンドから各記録材の端部を越えた位置までの領域に対応する、前記像担持体上の領域に画像を形成するように制御することを特徴とする画像形成装置。
【請求項２】
請求項１に記載の画像形成装置において、
前記制御手段は、両面印字の際に、同一の木端に接する表面の木端近傍と裏面の木端近傍に、同一の所要の画像を対向して形成するように制御することを特徴とする画像形成装置。
【請求項３】
請求項１に記載の画像形成装置において、
前記制御手段は、両面印字の際に、同一の木端に接する表面の木端近傍と裏面の木端近傍に、互いに異なる所要の画像を形成するように制御することを特徴とする画像形成装置。
【請求項４】
請求項１ないし３のいずれかに記載の画像形成装置において、
前記制御手段は、各記録材の木端近傍に所要の画像を形成する場合に、各記録材の画像領域フレームのフレームエンドに続けて所要幅のマスク領域を設けることことを特徴とする画像形成装置。
【請求項５】
請求項１ないし４のいずれかに記載の画像形成装置において、
前記制御手段は、各記録材の木端近傍に所要の画像を形成する場合に、各記録材の端部より０．５ｍｍ以上越えた位置までの領域に対応する、前記像担持体上の領域に画像を形成するように制御することを特徴とする画像形成装置。
【発明の詳細な説明】
【技術分野】
【０００１】
本発明は、画像形成装置に関し、特にその重ねられた記録材の木端近傍に広告などの所要の画像を形成する画像形成装置に関するものである。
【背景技術】
【０００２】
近年、複写機やプリンタの普及とともに、広告画像を付加画像として原稿画像に追加合成して出力し、広告画像を付加した場合の料金と広告画像を付加しない場合の料金とを異なるものとし、画像形成装置利用者と広告画像提供者との双方の便宜を図ることができる装置が注目されている。
【０００３】
このような広告画像を原稿画像に合成出力することができる複写機としては、従来から、読み取られた原稿画像に対して、物理的位置に配置された広告画像を合成して出力することができるものがある。たとえば、顧客の選択により、プラテンガラス下部に回転可能な広告原稿を配置し、原稿スキャン時にプラテン上の原稿とプラテン下の広告原稿を同時に読み込んで合成画像を生成する複写装置がある（特許文献１参照）。
【０００４】
また、ネットワークを介して広告管理サーバから広告画像を読み込んで、検出された余白領域に該広告画像を合成出力する画像形成システムがある（特許文献２参照）。この画像形成システムは、各種の広告画像と種々の大きさの広告画像を予め保持し、検出された余白領域に適合する広告画像を選択し、原稿画像に合成して出力するものである。
【０００５】
更に、書籍が店頭で売られる他に、書籍の内容を電子情報として、コンビニエンスストアなどで出力される場合が増加してきたので、前述の広告の手法が注目されている。
【特許文献１】特開昭６２−１１８３６２号公報
【特許文献２】特許第３３９９１８２号公報
【発明の開示】
【発明が解決しようとする課題】
【０００６】
しかしながら、前述の従来例では、記録材の面のみで人が認識できる情報を画像形成装置で画像を形成するので、記録材を積載してしまう場合は広告面が隠れてしまい十分な広告効果をあげることができないとともに、原稿画像内の情報と広告画像の情報とが混在した状態で出力されるため、もとの原稿画像、特にドキュメント等の原稿画像の価値が極端に低下する場合が生ずるという問題がある。
【０００７】
本発明は、このような状況のもとでなされたもので、複数枚の記録材が重ねられた状態でも、木端側から見て確実に所要の画像（たとえば広告画像、原稿画像の内容識別のための画像）が認識でき、広告効果などを確実にあげることができ、また本来の原稿の価値を落とすこと無く十分に広告効果などをあげることのできる、広告などの所要の画像を形成することができる画像形成装置を提供することを課題とするものである。
【課題を解決するための手段】
【０００８】
前記課題を解決するため、本発明では、画像形成装置を次の（１）のとおりに構成する。
【０００９】
（１）像担持体と、前記像担持体上に画像を形成するよう制御する制御部とを備えた画像形成装置であって、
前記制御部は、複数枚の記録材が重ねられた状態での木端近傍に所要の画像を形成する場合に、各記録材の画像領域フレームのフレームエンドから各記録材の端部を越えた位置までの領域に対応する、前記像担持体上の領域に画像を形成するように制御する画像形成装置。
【発明の効果】
【００１０】
本発明によれば、複数枚の記録材が重ねられた状態でも、木端側から見て確実に所要の画像（たとえば広告画像、原稿画像の内容識別のための画像）が認識でき、広告効果などを確実にあげることができ、また本来の原稿の価値を落とすこと無く十分に広告効果などをあげることのできる、広告などの所要の画像を形成することができる。
【発明を実施するための最良の形態】
【００１１】
以下本発明を実施するための最良の形態をレーザービームプリンタの実施例により詳しく説明する。
【実施例１】
【００１２】
図１は、実施例１である“レーザービームプリンタ”の主要部の構成を示す断面図である。
【００１３】
図１において、１は像担持体であるドラム構成の感光体（有機光導電休、セレン、アモルファスシリコン等）、２は帯電ローラ、Ｌはレーザー光、３は現像器、４は給紙ローラ、５はレジストローラ対、６は転写ローラ、７はクリーナー、８は定着入ロガイド、９は定着器、Ｋは記録材、Ｔはトナーである。
【００１４】
ホストコンピュータ（図示せず）より送られてくる電気信号化された文字や画像情報は、ビデオインターフェースコントローラ１０１に入力され、信号処理され、この出力により、レーザー光Ｌが適宜発光する。感光体１はａ方向に回転し、帯電ローラ２により一様に帯電された後、前述のレーザー光Ｌの照射を受ける。レーザー光Ｌが当たった所は感光体１上の電荷が減衰し、レーザー光Ｌが当たらない所は感光体１上の電荷は残留するので、レーザー光ＬのＯＮ，ＯＦＦに応じた静電潜像が形成される。
【００１５】
ついで、現像器３によりトナーを反転現像することにより、静電潜像に応じてトナーが付与され、感光体１上に顕像が得られる。
【００１６】
次に、カセット１１に入った記録材Ｋは給紙ローラ４で１枚づつ取り出された記録材Ｋを、レジストローラ対５でタイミングを合わせて、ペーパーガイドを介して、感光体１に接触させた上、トナーの極性と逆極性の電圧を印加している転写ローラ６により、感光体１上のトナー像を記録材Ｋ上に移しとられる。記録材Ｋは感光体１より記録材Ｋの自重や他の除電で分離され、定着入ロガイド８を介して、定着器９に入り記録材上のトナー像は熱と圧力により記録材Ｋ上に定着される。そして不図示のトレイに排出される。
【００１７】
感光体１は転写工程終了後、クリーナー７のクリーナーブレード７Ａにより残留トナーを除去したのち、次の画像形成プロセスに入る。
【００１８】
なお、レーザーの書き出し位置はＢＤ信号を検知して制御している。ＢＤ（Ｂｅａｍ  Ｄｅｔｅｃｔｉｏｎの略）とは走査ラインのスタート位置を同じにするために主走査方向（水平方向）の同期信号のことである。
【００１９】
図３に示すように、感光体の端部付近に小さなミラー（ＢＤミラーと呼ぶ）を設けて、レーザー光をこのミラーに反射させ、それを検知して作られる信号のことである。スキャニングミラーは一定速度で回転しているためこのＢＤ信号は一定時間毎に出力されるので、ＢＤ信号から一定時間で各ラインのビデオ信号ＯＮするのでレーザーの書き出し位置が決まる。
【００２０】
図２は本実施例の概略構成を示す図である。Ｐはレーザービームプリンタでホストコンピュータ等より送られてくる画像領域フレーム内に印字すべき印字データが画像入力部（＝ビデオインターフェースコントローラ）３０１（図１の１０１に相当）でビデオ信号にし、制御部ＣＴへ送られる。
【００２１】
一方ユーザーが広告画像出力の有無や選択３０３ａ並びに印刷属性設定３０３ｂを選択指示部３０３で行う。広告画像の出力を選択した場合広告画像保持部３０４より制御部ＣＴへ送られ画像出力部３０５で出力される。
【００２２】
図３は前記ビデオインターフェースコントローラ（画像入力部３０１）以降のレーザー光と画像の関係を概念図にしたものである。
【００２３】
図４は本実施例の動作を示すフローチャートで、左側のフローチャートでスタート後、ステップ４０１（図では４０１と略記する、以下同様）はプリントトータル枚数ＰＴＣが５０未満ならステップ４０２へ進む。なお、ここではプリントトータル枚数ＰＴＣを５０と決めたがユーザーや広告主が決めてよい。
【００２４】
ＰＴＣが５０以上ならステップ５０１へ進む。
ユーザーが要求するプリント枚数ＰＣは本ステップを経るとＰＣは１加算される（ステップ５０１）。
【００２５】
ステップ５０２は１ページ分のフローで、まず１フレーム分を描くためにスタートする（ステップ５０４）。
【００２６】
ステップ５０５のｎは図５で示すフレームエンドから広告を描き始めるまでのライン数（＝時間）を示す。マスクＯＮはレーザー光を強制消灯することを示しており、ここでの広告レーザーＯＮより優先される。Ｍ１はフレームエンドからマスクＯＦＦまでのライン数を示す。Ｍ２はフレームエンドからマスクＯＮまでのライン数を示す。Ｍ３はフレームエンドから記録材後端までのライン数を示す。Ｍ１とＭ２とＭ３の関係はＭ１＜Ｍ３＜Ｍ２であり、ｎとＭ３の関係はｎ≦Ｍ３が維持される。ｎ＝Ｍ１−（ＰＣ−１）の関係である（ステップ５０５）。
ステップ５０６はマスクをＯＦＦする（ステップ５０６）。
１フレームを描く（ステップ５０７）。
フレームエンドでマスクをＯＮする（ステップ５０８）。
【００２７】
出力信号ＢＤをカウントする（ステップ５０９）。
ここでＢＤのカウントがｎとなったらステップ５１１へ進み、ＢＤのカウントがｎでないならステップ５１２へ進む（ステップ５１０）。
ステップ５１１の広告ＯＮは図２で予め広告機能選択部３０３ａで選択され広告画像保持部３０４から制御部ＣＴで広告ＯＮし広告がスタートする（ステップ５１１）。
【００２８】
ここでＢＤのカウントがＭ１となったらステップ５１３へ進み、ＢＤのカウントがＭ１でないならステップ５１４へ進む（ステップ５１２）。
【００２９】
ステップ５１３はステップ５０８でマスクＯＮした状態からレーザー点灯可能な状態へ即ちマスクＯＦＦにする。
【００３０】
５１４はＢＤのカウントがＭ２となったらステップ５１５へ進み、ＢＤのカウントがＭ２でないならステップ５０９の直前に戻る。
【００３１】
ステップ５１５はマスクＯＮした状態にする。
ステップ５１６は広告ＯＦＦにする。
ステップ５１７で１ページ分の画像形成が終わり、図４の左図フローのステップ５０２戻る。
【００３２】
ステップ５０３ではページカウントＰＣがユーザー要求ページＰＳと同じになったらエンドになり、ＰＣとＰＳが同じでないならステップ５０１の直前になる。
【００３３】
図５は本実施例の特徴を最もよく表す図面であり、（ａ）はレーザービームプリンタで出力したときの記録材の後端部を表しており、（ｂ）はレーザーを強制消灯させるマスクと広告の画像を書くためのレーザーの点灯消灯を表すタイミングチャートである。
【００３４】
次に本実施例のレーザービームプリンタでＡ４サイズ横送り（横２１０ｍｍ×縦２９７ｍｍ）の記録材にプリントした時の場合を詳細に説明する。
【００３５】
図６は本実施例の感光体上のトナー画像である。記録材のある部分に相当する部分は転写工程で記録材に転写されるが記録材のない部分のトナー像はそのままクリーナーまで運ばれクリーニングされる。
【００３６】
図７は記録材の木端近傍に画像を出す場合の例を示しており、アルファベットの大文字Ｂの先端部のみを、１枚目から１８０枚目までの１０枚おきの記録材の後端部で示したものである。
【００３７】
図８は画像印字位置を示す図であり、定着器に巻きつくのを防ぐために、先端に余白が５ｍｍ程度作り、それ以降画像領域フレームが２００ｍｍ、更に先端のバランスから後端に余白５ｍｍを作るのが一般的であるが、本実施例はこのフレームエンド後方１ｍｍのところ迄を余白（マスク領域＝マスクＯＮ状態）としそこから４ｍｍの記録材後端を更に越え３ｍｍの領域に画像が描かれる。
【００３８】
本実施例装置が副走査方向（＝記録材の進行方向）の画像が３００ｄｐｉ（ｄｏｔ／ｉｎｃｈ）の解像度とすると、順にフレームエンドからの距離は１ｍｍ、５ｍｍ、８ｍｍの位置になり、この距離に相当するライン本数を計算すると１１本、５９本、９４本になる。
【００３９】
前述のようにレーザー光Ｌが感光体上へ照射した部分は電荷が消滅しその部分にトナーが付き、結果として記録材上の画像領域フレーム内にトナー画像が得られる。本実施例では更に画像領域フレームの後端であるフレームエンドから記録材の後端を超えて画像を形成する。その画像はフレームエンドの前方を超えない範囲で画像を形成する。
【００４０】
図９は本実施例のレーザービームプリンタで出力した記録材を重ねて束にした状態であり、広告を目的とした画像を記録材の木端近傍に入れたものであり、図１０は画像領域フレーム内の画像が音楽関係の文書であることを示すためにユーザーが任意に入れたものでありこのよう使い方も可能である。
【００４１】
ここでは記録材の後端部に画像を作成したが、記録材のサイドや先端側に画像を作成しても良いことはもちろんである。また、カラーレーザービームプリンタやインクジェットプリンタでも同じ考え方で可能である。画像が薄い場合は２度以上描いても良い。
【００４２】
画像領域フレームの端まで画像が描かれた場合、フレーム内の画像と広告の画像が繋がってフレーム内の画像を認識しずらくなるのを防ぐために、画像領域フレームの端と広告画像の端の間にマスク領域（レーザー強制ＯＦＦ）をもうけて前記問題を解決している。好ましくは０．５ｍｍ以上のマスク領域が好ましい。
【００４３】
図１１は一般のレーザープリンタ用専用紙Ａ４サイズの湿度による寸法変化を示したもので、相対湿度１５％に紙を放置し出発した紙が９０％になると＋０．２ｍｍ変化し、さらに相対湿度を１５％まで下げていくと−０．３ｍｍまで変化する。トータル０．５ｍｍの寸法が変化したことになるので、記録材が紙の場合、紙が伸び縮みしても、木端に相当する位置まで広告画像が欠けることなく形成できるようにするには、±０．５ｍｍ以上の余裕を持って描くことがよい。
【００４４】
以上説明したように、本実施例によれば、複数枚の記録材が重ねられた状態でも、木端側から見て確実に所要の画像（たとえば広告画像、原稿画像の内容識別のための画像）が認識でき、広告効果などを確実にあげることができ、また本来の原稿の価値を落とすこと無く十分に広告効果などをあげることのできる。
【実施例２】
【００４５】
実施例１のように、片面画像で記録材の木端近傍に画像を形成した場合、図１２に示す如く、積載した束で画像面から木端面に指で押さえてスライドさせるとよく画像を認識できるが、裏面（非画像面）から押さえてスライドさせると木端部の画像が薄くなる。
【００４６】
そこで、本実施例は、図１３に示すように両面機で２面目画像作成時、１面目の画像部に相当する部分に同じ広告画像を形成ものである。
【００４７】
このようにすると、木端面を指で押さえてスライドさせたとき、記録材の木端近傍の画像は濃度が高くなり広告画像が認識しやすくなる。
【実施例３】
【００４８】
本実施例は、実施例２と同様に両面機であるが、１面目と２面目で独立した画像を形成する例である。実施例２で説明したように、片面では図１２の如く指でスライドさせると裏面方向で認識しずらくなるので、図１４に示すように、裏面には表面と独立した画像を形成する例である。
【００４９】
このようにすると、記録材木端近傍に２倍の幅の画像が書き込めることになり広告では有利となる。
【図面の簡単な説明】
【００５０】
【図１】実施例１である“レーザービームプリンタ”の主要部の構成を示す断面図
【図２】実施例１の概略構成を示す図
【図３】ＢＤ信号の説明図
【図４】実施例１の処理を示すフローチャート
【図５】実施例１における記録材の後端部とタイミングチャート
【図６】実施例１における感光体上のトナー画像を示す図
【図７】実施例１における記録材の木端近傍の画像を示す図
【図８】実施例１におけ画像印字位置説明のための図
【図９】実施例１におけ広告を目的とした画像を記録材の木端近傍に入れた状態を示す図
【図１０】実施例１におけ画像領域フレーム内の画像が音楽関係の文書であることを示す図
【図１１】紙の湿度変化による寸法変化を示す図
【図１２】実施例１において記録材を束にし親指でページをめくる時の状態を示す図
【図１３】実施例２における記録材上の画像を示す図
【図１４】実施例３における記録材上の画像を示す図
【符号の説明】
【００５１】
１      像担持体（感光体）
ＣＴ      制御部
Ｋ        記録材
【図１】
2006192769.tif 000003
【図２】
2006192769.tif 000004
【図４】
2006192769.tif 000005
【図５】
2006192769.tif 000006
【図６】
2006192769.tif 000007
【図７】
2006192769.tif 000008
【図８】
2006192769.tif 000009
【図９】
2006192769.tif 000010
【図１０】
2006192769.tif 000011
【図１１】
2006192769.tif 000012
【図１２】
2006192769.tif 000013
【図１３】
2006192769.tif 000014
【図１４】
2006192769.tif 000015
【図３】
2006192769.tif 000016